(57)【要約】【課題】密閉性をより高めても、より開封しやすい容器を提供する。【解決手段】容器本体１０と、蓋体３０とを備え、容器本体１０には、その周縁から外方に張り出し、次いで下方に延びる第一の嵌合部１８が形成され、かつ、第一の嵌合部１８の下端から外方に突出する第一の摘部２０が形成され、蓋体３０の周縁には、第一の嵌合部１８を受け入れる凹状の第二の嵌合部３８が形成され、かつ第二の嵌合部３８から外方に突出する第二の摘部４０が形成され、蓋体３０を閉じた状態で、第一の摘部２０と第二の摘部４０とは、容器本体１０における平面視多角形の任意の一辺から突出し、第一の嵌合部１８には、第一の摘部２０から延設され、任意の一辺に沿って延び、かつ任意の一辺の端部に位置する角部に至る本体延設部２２が形成されていることよりなる。【選択図】図１
2015131668.tif 000002
【特許請求の範囲】
【請求項１】
有底多角筒状の容器本体と、該容器本体の開口部を開閉可能に塞ぐ蓋体とを備え、
前記容器本体には、その周縁から外方に張り出し、次いで下方に延びる第一の嵌合部が形成され、かつ、該第一の嵌合部の下端から外方に突出する第一の摘部が形成され、
前記蓋体の周縁には、前記第一の嵌合部を受け入れる凹状の第二の嵌合部が形成され、かつ前記第二の嵌合部から外方に突出する第二の摘部が形成され、
前記蓋体を閉じた状態で、前記第一の摘部と前記第二の摘部とは、前記容器本体における平面視多角形の任意の一辺から突出し、
前記第一の嵌合部には、前記第一の摘部から延設され、前記任意の一辺に沿って延び、かつ前記任意の一辺の端部に位置する角部に至る延設部が形成されていることを特徴とする容器。
【請求項２】
前記蓋体を閉じた状態で、前記第一の摘部と前記第二の摘部とは、平面視にて一部が重なることを特徴とする請求項１に記載の容器。
【発明の詳細な説明】
【技術分野】
【０００１】
本発明は、容器に関する。
【背景技術】
【０００２】
容器としては、自立性を有する有底筒状の容器本体と、開口部を覆うように容器本体に被せられる蓋体とを備えるもの（以下、身蓋容器ということがある）が一般的に知られている。身蓋容器は、内容物を取り出しやすい、内容物の多少にかかわらず容器本体の形状が維持される、蓋体の開閉を繰り返しても容器が変形しにくい、等の利点を有する。
【０００３】
身蓋容器は、例えば、液体含浸物（例えば、化粧シート等）や、固体と液体との混合物（例えば、漬物等）等、様々な物品の収容容器として用いられる。液体含浸物や液体を内容物とする場合、蓋体と容器本体との密閉性を高める必要がある。しかし、密閉性を追求するため、蓋体と容器本体との嵌合力を高めるほど、蓋体を開けにくくなる。
こうした問題に対し、蓋体のフランジと容器本体のフランジとを嵌合させる容器において、蓋体及び容器本体のフランジ形状を工夫した容器が提案されている（例えば、特許文献１、２）。
【先行技術文献】
【特許文献】
【０００４】
【特許文献１】特開２００２−３６２５９８号公報
【特許文献２】特開２００２−１１４２５４号公報
【発明の概要】
【発明が解決しようとする課題】
【０００５】
しかしながら、身蓋容器には、より高い密閉性を有し、かつより開封しやすいものが求められている。
そこで、本発明は、密閉性をより高めても、開封しやすい容器を目的とする。
【課題を解決するための手段】
【０００６】
本発明の容器は、有底多角筒状の容器本体と、該容器本体の開口部を開閉可能に塞ぐ蓋体とを備え、前記容器本体には、その周縁から外方に張り出し、次いで下方に延びる第一の嵌合部が形成され、かつ、該第一の嵌合部の下端から外方に突出する第一の摘部が形成され、前記蓋体の周縁には、前記第一の嵌合部を受け入れる凹状の第二の嵌合部が形成され、かつ前記第二の嵌合部から外方に突出する第二の摘部が形成され、前記蓋体を閉じた状態で、前記第一の摘部と前記第二の摘部とは、前記容器本体における平面視多角形の任意の一辺から突出し、前記第一の嵌合部には、前記第一の摘部から延設され、前記任意の一辺に沿って延び、かつ前記任意の一辺の端部に位置する角部に至る延設部が形成されていることを特徴とする。
前記蓋体を閉じた状態で、前記第一の摘部と前記第二の摘部とは、平面視にて一部が重なることが好ましい。
【発明の効果】
【０００７】
本発明の容器によれば、密閉性をより高めても、開封しやすい。
【図面の簡単な説明】
【０００８】
【図１】本発明の一実施形態にかかる容器の斜視図である。
【図２】図１の容器本体の平面図である。
【図３】図１の容器のＩＩＩ−ＩＩＩ断面図である。
【発明を実施するための形態】
【０００９】
（容器）
本発明の一実施形態にかかる容器について、以下に図面を参照して説明する。
図１の容器１は、容器本体１０と蓋体３０とを備える。
容器本体１０は、底面視において一方を長手とする長方形の底壁部１４と、底壁部１４の周縁から立設された側壁部１６とを備え、上端に平面視長方形の開口部１２を有する。即ち、容器本体１０は、有底四角筒状とされている。側壁部１６は、底壁部１４から離れるに従い、平面視面積が大きくなる。
本稿において、長方形は、角部に直線や曲線の隅切が形成されたもの、各辺の一部又は全部が曲線で形成されたものを含む概念である。
開口部１２の周縁には、第一の嵌合部１８が形成され、容器本体１０の上端寄りには、平面視長方形の第一の摘部２０が形成されている。
【００１０】
図２は、容器本体１０の平面図であり、図３は、図１におけるＩＩＩ−ＩＩＩ断面図であり、説明の便宜上、容器本体１０と蓋体３０とを図１よりも近付けて図示している。
図１〜３に示すように側壁部１６の上端には、平面視外方に張り出す張出部１７が形成されている。この張出部１７は、開口部１２を周回する。第一の嵌合部１８は、張出部１７の突端から上方に延びる壁部１８ａと、次いで平面視外方に張り出す壁部１８ｂと、次いで下方に延びる壁部１８ｃとで構成されている。即ち、第一の嵌合部１８は張出部１７の周縁から立設され、次いで折り返されるようにして形成された凸条である。
壁部１８ａは、上方に向かうに従い、容器本体１０の平面視内方に傾斜している。壁部１８ａが容器本体１０の内方に傾斜していることで、第一の嵌合部１８と第二の嵌合部３８とをより強く嵌合できる。
容器本体１０の上端寄りには、平面視長方形の第一の摘部２０が形成されている。
図２に示すように、第一の摘部２０は、容器本体１０における平面視長方形の一方の長手を形成する辺２１の中央に位置し、第一の嵌合部１８から平面視外方に突出している。
第一の摘部２０は、第一の嵌合部１８における折り返された先端（即ち、下端）から、平面視外方に突出するように形成されている。
第一の摘部２０の両側には、第一の摘部２０から延設され、第一の嵌合部１８の下端に沿って延びる本体延設部２２が形成されている。本体延設部２２は、平面視において、第一の嵌合部１８から外方に張り出すように形成され、開口部１２を周回する。即ち、本体延設部２２は、第一の摘部２０から延設され、平面視多角形を構成する辺２１に沿って延び、かつ辺２１の端部である角部２６及び角部２８に至っている。
【００１１】
蓋体３０は、容器本体１０の開口部１２を開閉可能に塞ぐものである。蓋体３０は、平面視において、一方を長手とする長方形とされ、周縁に沿って第二の嵌合部３８が形成されている。図３に示すように、蓋体３０には、蓋体３０の外方に向かうに従い下降し次いで外方に延びる段差部３６が形成されている。第二の嵌合部３８は、段差部３６に続き、上方に延びる壁部３８ａと、次いで平面視外方に張り出す壁部３８ｂと、次いで下方に延びる壁部３８ｃとで構成され、蓋体３０が開口部１２を塞いだ際に、第一の嵌合部１８を受け入れる凹条とされている。即ち、蓋体３０が開口部１２を塞いだ際に、第一の嵌合部１８と第二の嵌合部３８とが嵌合し、容器１が密閉される。
壁部３８ａは、上方に向かうに従い、蓋体３０の平面視内方に傾斜している。壁部３８ａが蓋体３０の内方に傾斜していることで、第一の嵌合部１８と第二の嵌合部３８とをより強く嵌合できる。
蓋体３０には、平面視長方形の第二の摘部４０が２つ形成されている。第二の摘部４０は、蓋体３０で開口部１２を塞いだ際に、平面視において、第一の摘部２０の長さ方向両側に位置し、かつ第一の摘部２０の一部と重なる。即ち、蓋体３０を閉じた状態で、第二の摘部４０は、第一の摘部２０と同じ辺２１から突出するように形成されている。
第二の摘部４０の両側には、第二の摘部４０から延設され、第二の嵌合部３８の下端に沿って延びる蓋体延設部４２が形成されている。蓋体延設部４２は、平面視において、第二の嵌合部３８から外方に張り出すように形成され、蓋体３０を周回する。即ち、蓋体延設部４２は、第二の摘部４０から延設され、辺２１に沿って延び、かつ辺２１の端部である両角部に至っている。
【００１２】
容器本体１０の材質は、特に限定されず、例えば、ポリエチレン、ポリプロピレン、エチレン酢酸ビニルコポリマー、ポリエチレンテレフタレート、ポリ塩化ビニル、アクリル樹脂、ポリスチレン、アクリル−スチレンコポリマー、アクリル−ブタジエン−スチレンコポリマー、エチレン−ビニルアルコールコポリマー及びこれらの複合樹脂、アルミニウム箔等の金属箔、ならびにこれらの積層体等が挙げられる。
容器本体１０は、透明でもよいし、着色されていてもよい。
蓋体３０の材質は、容器本体１０の材質と同様である。蓋体３０の材質は、容器本体１０の材質と同じでもよいし、異なってもよい。
容器本体１０と蓋体３０とは、硬さの異なる材質で構成されるのが好ましい。例えば、容器本体１０及び蓋体３０を樹脂で構成する場合には、容器本体１０を構成する樹脂と蓋体３０を構成する樹脂とは、曲げ弾性率が異なることが好ましい。容器本体１０と蓋体３０との硬さが異なることで、容器本体１０と蓋体３０とがより密着し、容器１の密閉性をより高められる。
【００１３】
容器本体１０の大きさは、内容物の大きさや量等を勘案して適宜決定される。蓋体３０の大きさは、容器本体１０の大きさに応じて適宜決定される。
容器本体１０の厚さは、材質等を勘案して決定され、例えば、０．０５〜２．０ｍｍが好ましく、０．１〜０．８ｍｍがより好ましい。上記下限値未満では、容器本体１０の強度が低下したり、第一の摘部２０が軟弱になりすぎて開封しにくくなるおそれがある。上記上限値超では、第一の嵌合部１８と第二の嵌合部３８とを嵌合させにくかったり、後述する使用方法において、第一の摘部２０を引き下げた際に第一の嵌合部１８が変形しにくくなるおそれがある。
蓋体３０の厚さは、容器本体１０の厚さと同様である。
【００１４】
第一の摘部２０の長さＬ１は、容器本体１０の大きさや容器本体１０の材質等を勘案して決定され、例えば、２５〜８５ｍｍが好ましく、４５〜６５ｍｍがより好ましい。上記下限値未満では、第一の摘部２０が軟弱になりすぎて開封しにくくなるおそれがあり、上記上限値超では、第二の摘部４０と重なる面積が大きくなり、第一及び第二の摘部を把持しにくくなるおそれがある。
第一の摘部２０の幅Ｗ１は、容器本体１０の大きさや容器本体１０の材質等を勘案して決定され、例えば、１０〜３０ｍｍが好ましく、１２〜２４ｍｍがより好ましい。上記下限値未満では、第一の摘部２０を把持しにくく、開封しにくくなるおそれがある。上記上限値超では、第一の摘部２０が軟弱になりすぎて、開封しにくくなるおそれがある。
第二の摘部４０の長さは、蓋体３０の大きさや第一の摘部２０の長さ等を勘案して、適宜決定される。第二の摘部４０の幅は、第一の摘部２０の幅Ｗ１と同様である。
【００１５】
本体延設部２２の幅Ｗ２は、容器本体１０の材質や厚み等を勘案して決定され、例えば、１．０〜８．０ｍｍが好ましく、１．５〜４．０ｍｍがより好ましい。上記下限値未満では、本体延設部２２を形成した効果が得られにくく、上記上限値超では、容器本体１０の平面視面積が大きくなりすぎて、使用性が低下するおそれがある。
蓋体延設部４２の幅は、特に限定されず、本体延設部２２の幅Ｗ２と同様の範囲内で適宜決定される。
【００１６】
容器本体１０は、射出成形、真空成形、真空圧空成形等、従来公知の製造方法により製造される。蓋体３０の製造方法は、容器本体１０の製造方法と同様である。
【００１７】
（使用方法）
次に、容器１の使用方法を説明する。
容器本体１０に内容物を入れ、蓋体３０で開口部を閉じて、容器１を密閉する。内容物としては、特に限定されず、ウェットティッシュ、汗拭きシート、日焼け止めシート、虫除けシート、化粧水シート、化粧落としシート等、不織布等にアルコールや薬剤等の液体が含浸された液体含浸シートや、クッキングシート、ティッシュペーパー、掃除用シート等、液体が含浸されていない拭き取りシート等のシート製品等が挙げられる。
蓋体３０で開口部１２を閉じると、第一の嵌合部１８が第二の嵌合部３８に嵌め込まれるため、容器１は、高い密閉性を有する。
【００１８】
内容物を取り出す際は、片手で第一の摘部２０を把持し、他方の手で第二の摘部４０を把持する。次いで、第一の摘部２０を引き下げつつ、第二の摘部４０を引き上げる。第一の摘部２０を引き下げるように操作すると、第一の嵌合部１８が変形する。第一の嵌合部１８が凹状の第二の嵌合部３８の内部で変形すると、第一の嵌合部１８と第二の嵌合部３８との間に隙間を生じ、第一の嵌合部１８と第二の嵌合部３８との嵌合状態が解除されやすくなる。一般に、嵌合力は角部２６、２８において高まっている。本実施形態の容器によれば、第一の摘部２０から延設された本体延設部２２が角部２６、２８に至っているため、第一の摘部２０を引き下げた力が、本体延設部２２を通じて、第一の嵌合部１８に伝わる。そして、第一の嵌合部１８が角部２６から角部２８にかけて変形して、第一の嵌合部１８と第二の嵌合部３８との嵌合状態を容易に解除できる。第一の嵌合部１８と第二の嵌合部３８との嵌合状態を解除しつつ、第二の摘部４０をさらに引き上げることで、蓋体３０を容器本体１０から取り外せる。
加えて、蓋体３０で開口部１２を塞いだ状態で、第一の摘部２０と第二の摘部４０との一部が重なっている、即ち、第一の摘部２０と第二の摘部４０とが近くにあることで、第一の摘部２０を引き下げることによる作用と、第二の摘部４０を引き上げることによる作用とが同じ領域に生じるため、第一の嵌合部１８と第二の嵌合部３８との嵌合状態をより容易に解除できる。
さらに、蓋体３０には第二の摘部４０から延設された蓋体延設部４２が形成されているため、第二の摘部４０を引き上げることで、角部２６から角部２８にかけて第二の嵌合部３８の溝幅を広げられる。このため、第一の嵌合部１８と第二の嵌合部３８との嵌合状態をより容易に解除できる。
【００１９】
上述の通り、本実施形態によれば、第一の嵌合部１８と第二の嵌合部３８とが形成されているため、蓋体３０で開口部１２を塞いだ際に、容器１の密閉性を高められる。
加えて、容器本体１０に本体延設部２２が形成されているため、第一の摘部２０を引き下げつつ第二の摘部４０を引き上げることで、第一の嵌合部１８と第二の嵌合部３８との嵌合状態をより容易に解除できる。このため、容器１を容易に開封できる。
【００２０】
上述の通り、本実施形態の容器１は、密閉性を高めても、容易に開封できる。このため、本実施形態の容器１は、液体、液体が含浸した物品、液体と固体との混合物等、液体を伴う物品の容器として好適である。
【００２１】
（その他の実施形態）
本発明は上述の実施形態に限定されるものではない。
上述の実施形態では、容器本体１０が有底四角筒状であるが、本発明はこれに限定されない。容器本体１０は、有底多角筒状であればよく、平面視三角形、平面視五角形等、平面視四角形以外の有底多角筒状でもよい。なお、多角形は、角部に直線や曲線の隅切が形成されたもの、各辺の一部又は全部が曲線で形成されたものを含む。
【００２２】
上述の実施形態では、蓋体３０が容器本体１０から取り外せるものであるが、本発明はこれに限定されず、例えば、蓋体３０がヒンジを介して容器本体１０と接続されたものでもよい。
【００２３】
上述の実施形態では、本体延設部２２が、開口部１２を周回しているが、本発明はこれに限定されず、本体延設部２２は、第一の摘部２０が形成された辺２１の端部である角部２６及び角部２８の双方もしくはいずれか一方に至っていればよい。
【００２４】
上述の実施形態では、蓋体延設部４２が、蓋体３０を周回しているが、本発明はこれに限定されず、蓋体延設部４２は、第二の摘部４０が形成された辺の端部である両角部の双方もしくはいずれか一方に至っていればよい。また、あるいは、蓋体延設部４２が形成されていなくてもよい。
【００２５】
上述の実施形態では、第一の摘部２０が平面視四角形とされているが、本発明はこれに限定されない。第一の摘部２０の形状は、意匠性等を勘案して決定され、四角形以外の多角形でもよいし、半円形でもよい。
上述の実施形態では、第一の摘部２０が１つ形成されているが、本発明はこれに限定されず、第一の摘部２０の数は２個以上でもよい。ただし、操作性をより高める観点から、第一の摘部２０の数は１〜２が好ましい。
上述の実施形態では、第一の摘部２０が辺２１の中央に形成されているが、本発明はこれに限定されず、第一の摘部２０が角部２６寄りに形成されていてもよいし、角部２８寄りに形成されていてもよい。
【００２６】
上述の実施形態では、第二の摘部４０が平面視四角形とされているが、本発明はこれに限定されない。第二の摘部４０の形状は、意匠性等を勘案して決定され、四角形以外の多角形でもよいし、半円形でもよい。
上述の実施形態では、第二の摘部４０が２つ形成されているが、本発明はこれに限定されず、第二の摘部４０の数は１つでもよいし、３つ以上でもよい。ただし、操作性をより高める観点から、第二の摘部４０の数は１〜２が好ましい。
上述の実施形態では、蓋体３０で開口部１２を塞いだ状態で、第一の摘部２０と第二の摘部４０とが一部重なっているが、本発明はこれに限定されず、第一の摘部２０と第二の摘部４０とが重なっていなくてもよいし、第一の摘部２０と第二の摘部４０とが全体に重なっていてもよい。ただし、操作性のさらなる向上を図る観点から、第一の摘部２０と第二の摘部４０とは、一部で重なっていることが好ましい。
【００２７】
上述の実施形態では、第一の嵌合部１８における壁部１８ａが、容器本体１０の内方に傾いているが、本発明はこれに限定されず、壁部１８ａが容器本体１０の外方に傾いていてもよいし、傾いていなくてもよい。壁部１８ａの傾きの有無及び傾きの程度は、第一の嵌合部１８と第二の嵌合部３８とに求める嵌合力に応じて適宜決定される。
【００２８】
上述の実施形態では、第二の嵌合部３８における壁部３８ａが、蓋体３０の内方に傾いているが、本発明はこれに限定されず、壁部３８ａが蓋体３０の外方に傾いていてもよいし、傾いていなくてもよい。壁部３８ａの傾きの有無及び傾きの程度は、第一の嵌合部１８と第二の嵌合部３８とに求める嵌合力に応じて適宜決定される。
【００２９】
上述の実施形態では、容器本体１０に張出部１７が形成されているが、本発明はこれに限定されず、張出部１７が形成されていなくてもよい。
【００３０】
上述の実施形態では、蓋体３０に段差部３６が形成されているが、本発明はこれに限定されず、段差部３６が形成されていなくてもよい。
【符号の説明】
【００３１】
１  容器
１０  容器本体
１２  開口部
１８  第一の嵌合部
２０  第一の摘部
２２  本体延設部
３０  蓋体
３８  第二の嵌合部
４０  第二の摘部
【図１】
2015131668.tif 000003
【図２】
2015131668.tif 000004
【図３】
2015131668.tif 000005